(57)【要約】      （修正有）【課題】薬剤塗布部分を使い捨てにする事で、安価に且つ衛生的に使えて、背中を掻く事と、薬剤塗布が可能な孫の手を提供する。【解決手段】極めて安価な市販の綿棒４の軸を適宜な長さに切取り、孫の手１の指先２、又は把手部先端近くに設けた孔２に嵌め込む。さらに綿部に塗布したい薬剤を付着又は含浸して患部に塗布する事が出来る。患部は必ずしも清潔とは限らないので、必要時はその都度綿棒４を使い捨てとし、新しい綿棒４に取替える。【選択図】図２
2013126520.tif 000002
【特許請求の範囲】
【請求項１】
孫の手の指部の先端に、綿棒の軸部を嵌められる孔を有する薬剤塗布機能を備えた孫の手。
【請求項２】
孫の手の指部の背部に、綿棒の軸部を嵌められる溝を有する、第１項記載の孫の手。
【請求項３】
孫の手の把持部尾端近くに、綿棒の軸部を嵌められる孔を有する第１項記載の孫の手。
【発明の詳細な説明】
【技術分野】
【０００１】本発明は自身の目、及び手の届かない所の、虫さされや、炎症等の患部を掻く孫の手で、薬剤塗布機能を有するものに関する。
【背景技術】
【０００２】従来自身の目、及び手の届かない所、背中を掻く物として孫の手は、あたかも幼児の手の指先で背中を掻く様なものとして、棒状の把持部とその反対側の先端部を内側に熊手状に曲げた物を、孫の手と称して既に一般に普及して普通名称になっている。【０００３】孫の手は虫さされや、炎症等の痒い背中を掻くには大変都合がよいが、掻いただけでは短時間の一時的な快感で、それを何度も繰り返すと掻き壊して皮膚を損傷する事が多い。【０００４】皮膚を損傷しないため、掻いた後で薬剤を塗布すれば、その様な懼れが大きく減少するので、孫の手に薬剤を塗布する機能を持たせるのが効果的である。【０００５】薬剤を塗布する患部は衛生的であるとは限らず、例えば化膿した箇所等では、その塗布すべき部分は使い捨ての消耗品であることが望ましい。
【先行技術文献】
【特許文献】
【０００６】
【特許文献１】特願２０１０−５０２２１９号、角度付き細永ヘッドを備えた液体塗布具。
【特許文献２】実願２００６−９６４９号、薬剤等塗布器具。
【特許文献３】特願２００５−３８１０１１号、看護の手ブラシ。
【特許文献４】意願２００３−３８２３７号。
【特許文献５】意願平１０−２２３４２号。
【発明の概要】
【発明が解決しようとする課題】
【０００７】本発明の目的は、前記従来例とは異なり、薬剤塗布部分を使い捨てにする事で、安価に且つ衛生的に使えて、背中を掻く事と、薬剤塗布が可能な孫の手を得る事が課題である。
【課題を解決するための手段】
【０００８】本発明は背中を掻くときは何の不都合もなく、通常の孫の手として使うことが出来ると同時に、極めて安価な軸付き綿棒を、指先先端、又は指の背部、又は孫の手の把持部端末付近に孔、又は溝を用いて綿棒の軸を嵌め込んで、容易に薬剤塗布部分を交換自在に取り付けることが可能な孫の手にする事で解決した。【０００９】本発明の請求項１は、図２に示された如く、通常使われている孫の手の指部の部分斜視図で、▲１▼は孫の手の本体、▲２▼は綿棒軸を嵌め込む孔、▲４▼は適宜の長さに切り取った綿棒の軸を指先先端に差し込んだ図、この様に綿棒▲４▼の軸を嵌められる孔▲２▼を有する薬剤塗布機能を備えた孫の手とする事で解決した。【００１０】本発明の請求項２は、図６及び図７に示された、▲５▼の溝に適宜の長さに切り取った▲４▼の綿棒の軸を、孫の手指部の背部▲５▼の溝に嵌められる様にした、第１項記載の薬剤塗布機能を有する孫の手とする事で解決した。【００１１】本発明の請求項３は、図８に示された▲６▼の把持部の尾端近くに、▲４▼の綿棒の軸を下側から嵌め込む孔▲７▼を設けて綿棒▲４▼の軸を嵌め込み、孫の手本体▲１▼の先端側を持って、薬剤を塗布する第１項記載の薬剤塗布機能を有する孫の手とする事で解決した。
【発明の効果】
【００１２】本発明の孫の手に取り付ける綿棒▲４▼は、市販されている安価な綿棒▲３▼の軸部を適宜の長さに切取ったもので、請求項１では、孫の手の指部の先端に設けた孔▲２▼に切り取った綿棒▲４▼の軸部を嵌め込み、綿部に塗布したい薬剤を付着又は含浸して患部に塗布する事が出来る。【００１３】請求項２は孫の手の指部の背部に設けた溝▲５▼に、前項で述べた適宜の長さに軸を切り取られた綿棒▲４▼を、綿部を下向きにして軸を外側から押し込んで嵌め込み、綿部▲４▼に塗布したい薬剤を付着又は含浸させて患部に塗布する事が出来る。【００１４】本発明の、請求項１，２，３，の各項で述べた如く、指先、又は把持部尾端に綿棒▲４▼の軸部を嵌められる孔▲２▼、及び▲７▼、又は溝▲５▼を有する薬剤塗布機能を備えた孫の手は、背中を掻くときは綿棒を嵌めなければ何ら違和感なく使用できる。
薬剤を塗布するには、前述の方法で切り取った綿棒▲４▼を孔▲２▼、及び▲７▼、又は溝▲５▼に嵌め込み、綿部に薬剤を付着又は含浸させて患部に塗布できる。【００１５】患部は必ずしも清潔とは限らないので、必要時はその都度綿棒▲４▼を使い捨てとし、新しい綿棒▲４▼に取替えれば良い。【００１６】市販されている綿棒は、衛生面から使い捨てが目的なので非常に安価である。【００１７】請求項２は、視力や指先が衰えた人には、綿棒が装着し易い利点がある。
【発明を実施するための最良の形態】
【００１８】本発明を図面で説明する、図１は請求項１の孫の手の全体斜視図で、▲１▼は本体、▲２▼は綿棒軸を嵌め込む孔、▲６▼は把持部である。虫さされや、炎症で痒いとき孫の手として背中を掻くには把持部▲６▼を持って本体の指先で掻けばよいが、掻いたときの快感は一時的なもので、再度、再再度と続けると掻き壊して患部に悪い影響が起こりやすい、その時に本体指先に設けた孔▲２▼に綿棒▲４▼の軸を嵌め込み、薬剤を付着又は含浸させて患部に塗布する。
【図面の簡単な説明】
【００１９】
【図１】は本発明の全体の斜視図で、▲１▼は本体、▲２▼は綿棒の軸を嵌め込む孔、▲６▼は把持部。
【００２０】
【図２】は請求項１に係わる本体▲１▼の指の先端に設けた孔▲２▼に、綿棒▲４▼の軸を指先から嵌め込んだ部分斜視図。
【００２１】
【図３】は市販の綿棒▲３▼。
【００２２】
【図４】は適宜の長さに軸を切り取られた綿棒▲４▼。
【００２３】
【図５】は適宜の長さに切り取った綿棒▲４▼の軸を、指先の▲２▼の孔に嵌め込んだ、請求項１の中心線の側面部分断面図。
【００２４】
【図６】は適宜の長さに切り取った綿棒▲４▼の軸を、指の背面に設けた溝▲５▼に嵌め込んだ、請求項２の中心線側面の部分断面図。
【００２５】
【図７】は適宜の長さに切り取った綿棒▲４▼の軸を、指の背面に設けた溝▲５▼に嵌め込んだ、請求項２の部分斜視図。
【００２６】
【図８】は本体▲１▼の把持部▲６▼の尾端近くに適宜の長さに切り取った綿棒▲４▼の軸を、嵌め込む孔▲７▼を設けた請求項３の本体斜視図。
【００２７】
【図９】は前項の孔▲７▼に綿棒▲４▼の軸を嵌め込んだ把持部▲６▼の部分斜視図。
【符号の説明】
【００２８】▲１▼  孫の手の本体。
▲２▼  孫の手指先の綿棒軸を嵌める孔。
▲３▼  市販の綿棒。
▲４▼  適宜の長さに軸を切った綿棒。
▲５▼  孫の手指背面の綿棒軸を嵌める溝。
▲６▼  孫の手把持部。
▲７▼  孫の手把持部の端末付近の綿棒軸を嵌める孔。
【図１】
2013126520.tif 000003
【図２】
2013126520.tif 000004
【図３】
2013126520.tif 000005
【図４】
2013126520.tif 000006
【図５】
2013126520.tif 000007
【図６】
2013126520.tif 000008
【図７】
2013126520.tif 000009
【図８】
2013126520.tif 000010
【図９】
2013126520.tif 000011